(57)【特許請求の範囲】
【請求項１】
ユーザ端末で行われる投稿メッセージの統合管理方法であって、
統合ＩＤクライアントモジュールが始動され、前記ユーザ端末が統合ＩＤによるログイン作業を行うログインステップと、
前記ユーザ端末が投稿メッセージを作成するための投稿メッセージ作成サーバに接続して書き込みを要請する書き込み要請ステップと、
前記ユーザ端末が前記投稿メッセージ作成サーバから認証要請を受信する認証要請受信ステップと、
前記統合ＩＤクライアントモジュールが前記認証要請に応答し、統合ＩＤを確認できるメッセージを前記投稿メッセージ作成サーバに伝送するステップと、
前記ユーザ端末が前記統合ＩＤクライアントモジュールによって作成された投稿メッセージを統合ＩＤサーバに伝送し、前記統合ＩＤサーバに投稿メッセージの格納を要請する投稿メッセージの格納要請ステップと、
前記ユーザ端末が前記投稿メッセージの格納位置を前記統合ＩＤサーバから通知され、通知された投稿メッセージの格納位置を前記投稿メッセージ作成サーバに通知する投稿メッセージ格納位置の通知ステップと、
を含み、
前記統合ＩＤを確認できるメッセージは、前記ログインステップで前記統合ＩＤサーバから受信したユーザ認証情報に基づいて作成されることを特徴とする投稿メッセージの統合管理方法。
【請求項２】
前記ログインステップは、前記統合ＩＤサーバにログイン情報を送信するステップおよび前記統合ＩＤサーバからユーザ認証情報を受信するステップを含むことを特徴とする請求項１に記載の投稿メッセージの統合管理方法。
【請求項３】
前記ユーザ端末が前記統合ＩＤサーバに投稿メッセージ作成サーバの掲示アドレスを伝送する掲示アドレス伝送ステップをさらに含むことを特徴とする、請求項１に記載の投稿メッセージの統合管理方法。
【請求項４】
ユーザ情報ＤＢおよび投稿メッセージＤＢを有する統合ＩＤサーバと接続されたユーザ端末であって、
ユーザ端末の制御を行う制御部と、
ネットワークを介して前記統合ＩＤサーバおよび投稿メッセージを作成するための投稿メッセージ作成サーバに接続する通信部と、
前記統合ＩＤサーバと前記ユーザ情報ＤＢを参照したログイン作業を行い、投稿メッセージを作成できる統合ＩＤクライアントモジュールと、
を備え、
前記統合ＩＤクライアントモジュールは、
前記投稿メッセージ作成サーバに接続して書き込みを要請し、
前記投稿メッセージ作成サーバから認証要請を受信し、この認証要請に応答して統合ＩＤを確認できるメッセージを前記投稿メッセージ作成サーバに伝送し、
作成された投稿メッセージを前記統合ＩＤサーバに伝送すると共に前記投稿メッセージＤＢへの投稿メッセージの格納を要請し、
前記作成された投稿メッセージが格納された投稿メッセージの格納位置が前記統合ＩＤサーバから通知され、前記投稿メッセージ作成サーバに通知し、
前記統合ＩＤを確認できるメッセージは、前記ログイン作業で前記統合ＩＤサーバから受信したユーザ認証情報に基づいて作成されることを特徴とするユーザ端末。
【請求項５】
前記ログイン作業は、
前記統合ＩＤクライアントモジュールが前記統合ＩＤサーバにログイン情報を送信し、前記統合ＩＤサーバからユーザ認証情報を受信することによって行われることを特徴とする、請求項４に記載のユーザ端末。
【請求項６】
前記統合ＩＤクライアントモジュールは、前記統合ＩＤサーバに前記投稿メッセージ作成サーバの掲示アドレスを伝送することを特徴とする、請求項４に記載のユーザ端末。
【発明の詳細な説明】
【技術分野】
【０００１】
本発明は、投稿メッセージの統合管理方法およびそのための端末に関し、特にログインすることがなくても実名認証が必要な投稿メッセージを作成することができ、投稿メッセージを統合的に管理できる投稿メッセージの統合管理方法およびそのための端末に関するものである。
【０００２】
本発明は、情報通信部および情報通信研究振興院のＩＴ成長動力技術開発事業の一環として行った研究から導き出されたものである［課題管理番号：２００６−Ｓ−０３８−０２、課題名：モバイルコンバージェンスコンピューティングのための端末適応型埋め込みオペレーティングシステムの開発（Ｄｅｖｅｌｏｐｍｅｎｔ  ｏｆ  Ｄｅｖｉｃｅ−Ａｄａｐｔｉｖｅ  Ｅｍｂｅｄｄｅｄ  Ｏｐｅｒａｔｉｎｇ  Ｓｙｓｔｅｍ  ｆｏｒ  Ｍｏｂｉｌｅ  Ｃｏｎｖｅｒｇｅｎｃｅ  Ｃｏｍｐｕｔｉｎｇ）］。
【背景技術】
【０００３】
インターネット実名制が施行され、匿名のユーザがコメントを作成したり掲示板に書き込んだりすることが容易にできにくくなってきた。勿論、該当ウェブサイトにログインして意見を述べると良いが、ユーザが既に加入したサイトではない場合は加入手続きを行わなければならず、またログイン手続きも煩わしい。よって、コメントや書き込み（以下、投稿メッセージ）を作成したい場合も、煩わしい手続きを行わない（避ける）ために、投稿メッセージを作成しないでページ移動する場合が多い。勿論、インターネット実名制やログインしてからの投稿メッセージの作成要求は名誉毀損や噂が出回ることを防ぐために必ず必要なものではあるが、インターネットユーザの参加側面からみると否定的に作用し得る。
【０００４】
従来より、認証代理サーバを用いて会員会社サイトのユーザ認証を代わりに行う技術がある。その技術ではユーザが会員会社のサイトにログインすることなく、認証代理サーバを通して代わりに認証を行い使用権限を獲得する。上記技術は自身の個人情報を流出させないための効果的な方法は提供するものの、認証代理サーバとの間で認証を行うことができる特定会員会社サイトのみで使用可能であって、認証代理サーバと会員会社サイトとの間の連動が複雑で管理が難しい。
また、トラックバックを通して自身のブログの投稿メッセージをリンクしてコメントをする方法があるが、これは長文を制限されずに載せる長所はあるが、自身のブログにログインする過程が必要であり、自身の個人身上情報が投稿メッセージを通して接続されたブログを介して露出される短所がある。
【０００５】
なお、ユーザは数多いウェブサイトに投稿メッセージを作成するが、自身が残した投稿メッセージについて確認するためには該当ウェブサイト毎に直接接続して自身の投稿メッセージを検索しなければならない不便さがある。特定ウェブサーバ内の特定ユーザの投稿メッセージを集めて出力してくれるサービスも存在するが、これは該当ウェブサーバ内の投稿メッセージに限られている。
【発明の開示】
【発明が解決しようとする課題】
【０００６】
本発明は、上記の従来技術の問題点を解決するためのものであり、ユーザがログインなどの煩わしい過程を経ることがなくても実名認証やログインが必要なニュース記事へのコメントや掲示板への書き込みを含む投稿メッセージを簡便に作成することができ、ユーザの投稿メッセージを統合的に管理できるようにして、投稿メッセージが掲示されるウェブサーバの負荷を減少させる投稿メッセージの統合管理方法とそのための端末を提供することを目的とする。
【課題を解決するための手段】
【０００７】
上記の目的を達成するための本発明に係るユーザ端末で行われる投稿メッセージの統合管理方法は、統合ＩＤクライアントモジュールが始動され、 ユーザ端末が統合ＩＤによるログイン作業を行うログインステップと、 ユーザ端末が投稿メッセージを作成するための投稿メッセージ作成サーバに接続して書き込みを要請する書き込み要請ステップと、 ユーザ端末が統合ＩＤクライアントモジュールによって作成された投稿メッセージを統合ＩＤサーバに伝送し、また統合ＩＤサーバに投稿メッセージの格納を要請する投稿メッセージの格納要請ステップと、ユーザ端末が、投稿メッセージが格納された投稿メッセージの格納位置を統合ＩＤサーバから通知され、通知された投稿メッセージの格納位置を投稿メッセージ作成サーバに通知する投稿メッセージ格納位置の通知ステップと、を含む。
【０００８】
ログインステップは、統合ＩＤサーバにログイン情報を送信するステップおよび統合ＩＤサーバからユーザ認証情報を受信するステップを含むことが好ましく、ユーザ端末が投稿メッセージ作成サーバから認証要請を受信する認証要請受信ステップと、統合ＩＤクライアントモジュールが認証要請に応答し、統合ＩＤを確認できるメッセージを投稿メッセージ作成サーバに伝送するステップをさらに含むことが好ましい。
また、統合ＩＤを確認できるメッセージはログインステップで統合ＩＤサーバから受信したユーザ認証情報に基づいて作成されることが好ましく、ユーザ端末か統合ＩＤサーバに投稿メッセージ作成サーバの掲示アドレスを伝送する掲示アドレス伝送ステップをさらに含むことが好ましい。
【０００９】
本発明に係るユーザ端末は、ユーザ情報ＤＢおよび投稿メッセージＤＢを有する統合ＩＤサーバと接続されたユーザ端末であって、ユーザ端末の制御を行う制御部と、ネットワークを介して統合ＩＤサーバおよび投稿メッセージを作成するための投稿メッセージ作成サーバに接続するための通信部と、統合ＩＤサーバとユーザ情報ＤＢを参照したログイン作業を行い、投稿メッセージを作成できる統合ＩＤクライアントモジュールを備え、統合ＩＤクライアントモジュールは、投稿メッセージ作成サーバに接続して書き込みを要請し、作成された投稿メッセージを統合ＩＤサーバに伝送すると共に投稿メッセージＤＢへの投稿メッセージの格納を要請し、作成された投稿メッセージが格納された投稿メッセージの格納位置が統合ＩＤサーバから通知され、投稿メッセージ作成サーバに通知する。
【００１０】
ログイン作業は、統合ＩＤクライアントモジュールが統合ＩＤサーバにログイン情報を送信し、統合ＩＤサーバからユーザ認証情報を受信することによって行われることが好ましく、統合ＩＤクライアントモジュールは、投稿メッセージ作成サーバから認証要請を受信し、この認証要請に応答して統合ＩＤを確認できるメッセージを投稿メッセージ作成サーバに伝送することが好ましい。
【００１１】
統合ＩＤを確認できるメッセージは、ログイン作業で統合ＩＤサーバから受信したユーザ認証情報に基づいて作成されることが好ましく、統合ＩＤクライアントモジュールは、統合ＩＤサーバに投稿メッセージ作成サーバの掲示アドレスを伝送することが好ましい。
【発明の効果】
【００１２】
ユーザがログインなどの煩わしい過程を経ることがなくても実名認証やログインが必要なニュース記事へのコメントや掲示板への書き込みを含む投稿メッセージを簡便に作成することができ、ユーザの投稿メッセージを統合的に管理できるようにして、投稿メッセージが掲示されるウェブサーバの負荷を減少させる。
【００１３】
ユーザは一度のログインだけで多様なサーバにアクセスして投稿メッセージを作成することができ、ユーザらがウェブサーバで活発な掲示活動を行うことができ、さらにウェブサーバは投稿メッセージを直接格納しないため、投稿メッセージに対する責任からもある程度自由になり得る。
【００１４】
また、ユーザは統合ＩＤサーバの固有ＩＤによって多様なインターネットサイトで一貫したアイデンティティーを持って活動することができ、接続が頻繁ではないサイトで１回きりの活動をするために会員加入をしなければならない不便さを無くすことができる。
【発明を実施するための最良の形態】
【００１５】
以下、本発明の理解を助けるために添付図面を参照して好ましい実施形態について説明する。下記の実施形態は本発明をより容易に理解するために提供するものであって、本実施形態によって本発明が限定されるものではない。
【００１６】
図１は、本発明の一実施形態に係る投稿メッセージの統合管理方法を実現するためのシステムの構成図である。ネットワークを介して接続されたユーザ端末１００、統合ＩＤサーバ２００、第１ウェブサーバ３００−１、および第２ウェブサーバ３００−２で構成される。ウェブサーバはユーザが接続して投稿メッセージを作成できるサーバであり、必ずしもウェブサーバである必要はない。ネットワークを介して接続可能なウェブサーバ数は多いが、説明の便宜のために２つだけを図示した。
【００１７】
ユーザ端末１００は、ユーザがウェブサーバ（３００−１，３００−２）に接続するために用いるコンピュータ、ＰＤＡ、携帯電話などの端末機である。ユーザ端末１００は、制御部１０１、統合ＩＤクライアントモジュール１０２、および通信部１０３を含む。制御部１０１は投稿メッセージの統合管理方法を実現するためにユーザ端末の制御を行う。統合ＩＤクライアントモジュール１０２は、プログラム形式のモジュールであって、本発明に係る投稿メッセージの統合管理方法を実現するためにユーザ端末で実行されるクライアントモジュールである。通信部１０３はネットワークを介して他のサーバや他の端末機に接続するためのものである。
【００１８】
また、統合ＩＤサーバ２００は、本発明に係る投稿メッセージの統合管理方法のためにユーザ認証を行い、ＩＤと投稿メッセージを格納して管理するサーバである。統合ＩＤサーバ２００は、制御部２０１、ユーザ情報ＤＢ（データベース）２０２、投稿メッセージＤＢ２０３、および通信部２０４を含む。制御部２０１は統合ＩＤサーバ２００の全体的な制御を行う。ユーザ情報ＤＢ２０２は、ユーザＩＤ、パスワード、認証情報、身上情報などのユーザに関する情報を格納しており、実名認証のための情報も有している。投稿メッセージＤＢ２０３は、作成者ＩＤ、投稿メッセージの内容、掲示時間、読み回数、掲示アドレスなどの投稿メッセージに関する詳細内訳をＩＤ別に格納して管理する。通信部２０４はネットワークを介して他のサーバや他の端末機に接続するためのものである。
【００１９】
図２は、本発明の一実施形態に係る投稿メッセージの統合管理方法の手続きを説明するフローチャートである。図１に示したシステム構成を参照して本発明に係る投稿メッセージの統合管理方法を説明する。図２にはウェブサーバ３００、ユーザ端末１００、および統合ＩＤサーバ２００の間で行われる手続きが順次示されている。
【００２０】
先ず、ステップＳ２０２において、ユーザ端末１００は統合ＩＤクライアントモジュール１０２を始動させる。統合ＩＤクライアントモジュール１０２はユーザ端末１００上でバックグラウンドプロセスとして実行され得る。そして、統合ＩＤクライアントモジュール１０２を介して統合ＩＤサーバ２００にログイン情報を送信してログイン作業を行う（ステップＳ２０４）。ログイン作業は実名認証作業を含むことができる。統合ＩＤサーバ２００は、ユーザ情報ＤＢ２０２を参照し、ログイン作業の結果ユーザが正当なユーザであると確認されれば、ステップＳ２０６でユーザ認証情報をユーザ端末１００に伝送する。ユーザ端末１００の統合ＩＤクライアントモジュール１０２は、受信したユーザ認証情報によってユーザを識別することができ、受信したユーザ認証情報に基づいて統合ＩＤサーバ２００との間におけるデータ送受信を行う。
【００２１】
次に、ステップＳ２０８においては、ユーザがユーザ端末１００を介してウェブサーバ３００に接続してウェブサーバに掲示された内容をブラウジングする。ユーザが該当ウェブサーバで投稿メッセージを作成したい場合には、ステップＳ２１０で統合ＩＤクライアントモジュール１０２またはウェブサーバ（投稿メッセージ作成サーバ、３００）から伝送された画面の書き込みボタンを用いてウェブサーバ３００に書き込みを要請する。
【００２２】
ステップＳ２１２では、書き込み要請を受けたウェブサーバ３００がユーザ端末１００に認証を要請する。ステップＳ２１２の認証要請を受信したユーザ端末１００では、認証要請に対し統合ＩＤクライアントモジュール１０２が応答し、ステップＳ２０６で受信したユーザ認証情報に基づいてウェブサーバ３００に統合ＩＤを確認できるメッセージを伝送する（ステップＳ２１４）。これにより、ウェブサーバ３００は該当ユーザ端末１００が作成した投稿メッセージの登録を許容できる状態となる。
【００２３】
ステップＳ２１２およびステップＳ２１４のウェブサーバに対する認証手続きはウェブサーバ３００とユーザ端末１００との間で行われ、統合ＩＤサーバ２００は関与しないため統合ＩＤサーバ２００には負荷を生じさせない。また、ウェブサーバに対する認証手続きが統合ＩＤクライアントモジュール１０２の自動応答によって行われるため、ユーザはステップＳ２１０で書き込み要請をするだけで直ちに投稿メッセージ作成を開始することができる。
【００２４】
ステップＳ２１６においては、ユーザ端末１００上の統合ＩＤクライアントモジュール１０２が備えた編集モジュールが実行されることにより、ユーザがユーザ端末上で投稿メッセージを作成することができる。ステップＳ２１８においては、ユーザが統合ＩＤクライアントモジュール１０２によって投稿メッセージの作成を完了し、投稿メッセージの登録機能を実行させる。
【００２５】
ステップＳ２１８でユーザが投稿メッセージ登録機能を実行すれば、ユーザが作成した投稿メッセージの詳細内容がウェブサーバ３００に伝送されずに、統合ＩＤサーバ２００に伝送される。つまり、ステップＳ２２０においては、ユーザが作成した投稿メッセージの内容を含む詳細内容を伝送すると共に、ユーザ端末１００が統合ＩＤサーバ２００に投稿メッセージの格納を要請する。
【００２６】
投稿メッセージの格納要請を受信した統合ＩＤサーバ２００は投稿メッセージＤＢ２０３にユーザが伝送した投稿メッセージを格納する（ステップＳ２２２）。投稿メッセージＤＢ２０３には作成者ＩＤ（識別子）、投稿メッセージの内容、掲示時間、読み回数などの投稿メッセージに関する詳細内訳が格納される。
【００２７】
一方、ステップＳ２１０において書き込み要請をすると同時にまたはその後にウェブサーバ３００からの受信によって、該当投稿メッセージを掲示しようとするウェブサーバ３００のアドレス情報（掲示アドレス）を獲得することができる。このように獲得した掲示アドレスをステップＳ２２０の投稿メッセージの格納要請時に共に伝送すれば、投稿メッセージＤＢ２０３には該当投稿メッセージが掲示されたアドレス情報を格納することができ、統合ＩＤサーバ２００を介して各ユーザ別の投稿メッセージがどこに掲示されているかが分かるため有用な情報として活用することができる。また、ステップＳ２２８において、投稿メッセージの格納位置を登録した後にウェブサーバ３００が統合ＩＤサーバ２００に掲示アドレスを通知することもできる。
【００２８】
ステップＳ２２２で統合ＩＤサーバ２００における投稿メッセージ格納が完了すれば、統合ＩＤサーバ２００はユーザ端末１００に投稿メッセージＤＢ２０３内の投稿メッセージの格納位置を通知する。投稿メッセージ格納位置の通知を受けたユーザ端末１００はこの投稿メッセージ格納位置をウェブサーバ３００に通知する（ステップＳ２２６）。投稿メッセージ格納位置の通知は統合ＩＤサーバ２００からウェブサーバ３００に直接行うことができる。
【００２９】
ウェブサーバ３００は通知された投稿メッセージ格納位置を登録し、該当投稿メッセージを見ようとするユーザらに登録された投稿メッセージの格納位置を参照して投稿メッセージの詳細内容を提示する。投稿メッセージの格納位置はウェブサーバ３００上でリンク形式のように提示し、ユーザらがクリックすることによって該当投稿メッセージの詳細内容が見られるようにすることができる。また、ｉｆｒａｍｅのような技術を用いて該当投稿メッセージを表わす場合、投稿メッセージの格納位置を参照してウェブサーバ３００から投稿メッセージの詳細内容を持ち込むことにより、ウェブサーバ３００に投稿メッセージが格納されているようにユーザに見せることもできる。また、該当投稿メッセージを表わす時に、投稿メッセージ格納位置の投稿メッセージを持ち込んで直接見せることもできる。
【００３０】
ユーザが作成した投稿メッセージなどがウェブサーバに分散して格納されるものではなく、統合ＩＤサーバ２００に統合され、ユーザ別に分類格納されるため、様々な長所を有する。例えば、ユーザは統合ＩＤサーバ２００に接続して検索するだけで、自身が一定期間内に作成した投稿メッセージなどを抽出することができ、自身が作成した投稿メッセージに他人のコメントやリプライが作成されているかどうかも確認することができる。
【産業上の利用可能性】
【００３１】
実名認証やログインなどの煩わしい過程を経ることがなくても投稿メッセージを作成することができ、ユーザ別の投稿メッセージを統合管理できるようになることにより、インターネット上におけるユーザ便宜性が図れ、ユーザに様々なサービスを応用して提供することができる。
【図面の簡単な説明】
【００３２】
【図１】本発明の一実施形態に係る投稿メッセージの統合管理方法を実現するためのシステムの構成図である。
【図２】本発明の一実施形態に係る投稿メッセージの統合管理方法の手続きを説明するフローチャートである。
【符号の説明】
【００３３】
１００  ユーザ端末
１０１  制御部
１０２  統合ＩＤクライアントモジュール
１０３  通信部
２００  統合ＩＤサーバ
２０１  制御部
２０２  ユーザ情報ＤＢ
２０３  投稿メッセージＤＢ
２０４  通信部
３００  ウェブサーバ
３００−１  第１ウェブサーバ
３００−２  第２ウェブサーバ
【図１】
0004763036.tif 000002
【図２】
0004763036.tif 000003